(57)【要約】１回服用量の医薬組成物（８０）を投薬するのに適した多重折り畳み薬剤治療ブリスターカード（１０）。前記多重折り畳みカード（１０）は更に、２層カード部分とその間にブリスターキャビティ（２０，２２）を含むことを特徴とし、前記キャビティと前記層の１つの間に安全ストリップ（３２）が設けられており、この安全ストリップはカードから医薬組成物を取出する前に除かなければならない。
2005518909.tif 000002
【特許請求の範囲】
【請求項１】
ａ）外縁を有する内層及び外層：前記内層の表面に穴を含み、前記外層は穴の形状を有する有孔部分を含み、前記内層は前記外層の上に重ね合わされており、前記内層の穴は、前記外層の有効部分に対向し、前記内層の外縁及び外層の外縁の第１部分は一緒に貼着して内部にポケットを有するブリスターカードを形成しており、前記内層の外縁及び外層の外縁の非貼着の第２部分は前記カードへのポケット入口を形成している；
ｂ）１つ以上の、外縁を有するブリスター層及び外縁を有するふた層からなるブリスターキャビティー：前記ブリスター層及びふた層の外縁は一緒に貼着されており、両層の縁の内側に医薬組成物を保存するのに適した隆起空隙区画が形成されており、前記ブリスタキャビティはブリスターカードのポケット中に位置づけられており、前記ブリスターキャビティの隆起空隙区画は内層の穴を介して突出しており、前記ふた層は外層の有孔部分と対向している；
ｃ）着脱自在な完全ストリップ：前記ストリップは、ポケット入口を介してブリスターキャビティのふた層とカードの外層の間のカードポケットに挿入され、前記安全ストリップはポケット入口の縁内にある；及び
ｄ）ブリスターカードの内縁、外縁及びポケット入口をシールする有孔ストリップ：前記着脱自在な安全ストリップはブリスターカードの内側にシールされて薬剤治療ブリスターカードを形成する；
を含む、医薬組成物を投薬するのに適した薬剤治療ブリスターカードであって、有孔ストリップをブリスターカードから引裂き、安全ストリップを除き、内層側のブリスター層を押してふた層を破り、外層の有孔部分をカードから押しのけて、ブリスターキャビティから医薬組成物を取出する前記薬剤治療ブリスターカード。
【請求項２】
カードの内層に文書シートを保存するのに適したスリットを有している請求の範囲第１項に記載のブリスターカード。
【請求項３】
内層及び外層の外縁が均一の大きさを有している請求の範囲第２項に記載のブリスターカード。
【請求項４】
複数のブリスターがカード上に設けられている請求の範囲第３項に記載のブリスターカード。
【請求項５】
複数のカードがヒンジ手段により接合されている請求の範囲第４項に記載のブリスターカード。
【請求項６】
文書がカードの内層及び外層上に書かれている請求の範囲第５項に記載のブリスターカード。
【請求項７】
カードの内層にポケットに文書を保存するのに適したスリットを有する請求の範囲第６項に記載のブリスターカード。
【請求項８】
内層、外層、安全ストリップ及び有孔ストリップが板紙、厚紙、ブリッスル・ボード（ｂｒｉｓｔｌｅ  ｂｏａｒｄ）、段ボール紙、ポリマー材料及び金属から選択される材料から製造される請求の範囲第７項に記載のブリスターカード。
【請求項９】
ブリスター層及びふた層がポリマー材料、金属ホイル及びその組合せから選択される材料から製造される請求の範囲第８項に記載のブリスターカード。
【請求項１０】
ポリマー材料が、低密度ポリエチレン、オレフィンコポリマー、ポリ塩化ビニル、ポリ塩化ビニリデン、ポリオレフィン、ポリプロピレン、ポリエステル、ポリアクチン酸、ポリアセタール、ポリスチレン及びその組合せから選択される請求の範囲第９項に記載のブリスターカード。
【請求項１１】
複数のカードが、薬剤治療キットを形成するのに適した多重折り畳みカードを形成するために、シールされた縁で相互にヒンジ手段により接合されている請求の範囲第１０項に記載のブリスターカード。
【請求項１２】
少なくとも２つのカード部分を含むことを特徴とする、医薬組成物を投薬するのに適した２つ折り薬剤治療ブリスターカードであって、１つ以上のカード部分が、
ａ）均一な外縁を有する内層及び外層：前記内層の表面に穴を含み、前記外層は、穴の形状を有する有孔部分を含み、前記内層は前記外層の上に重ね合わされており、前記内層の穴は、前記外層の有孔部分に対向し、前記内層及び外層の均一な外縁の第１部分は一緒に貼着して内部にポケットを有するブリスターカード部分を形成しており、前記カードの外縁の非貼着の第２部分は前記カードへのポケット入口を形成しており、カードのポケット入口の外縁の周りに切欠きが形成されている；
ｂ）１つ以上の、外縁を有するブリスター層及び外縁を有するふた層からなるブリスターキャビティ：前記ブリスター層及びふた層の外縁は一緒に貼着され、両層の外縁の内部に医薬組成物を保存するのに適した隆起空隙区画が形成されており、前記ブリスタキャビティはブリスターカードのポケット中に位置づけられており、前記ブリスターキャビティの隆起空隙区画は内層の穴を介して突出しており、前記ふた層は外層の有孔部分と対向している；
ｃ）第１端部及び第２端部を有する着脱自在な安全ストリップ：前記ストリップの第２端部にプルポイント（ｐｕｌｌ  ｐｏｉｎｔ）が設けられており、前記したストリップの第１端部がポケット入口を介してブリスターキャビティのふた層とカードの外層の間でカードに挿入されており、前記安全ストリップはポケット入口の縁内にあり、前記プルポイントはポケット入口の外縁内に適合していてカードの切欠きをとおして目に見える；
ｄ）ポケット入口でカードの外縁をシールするのに適した有孔ストリップ：前記着脱自在な安全ストリップは、ブリスターカードの外縁の内側にシールされてカード部分を形成しており、前記プルポイントは有孔ストリップにより被覆されている；
ｅ）任意に、その間にポケットを形成するように貼着された外縁を有する内層及び外層を有するカード部分：前記内層中のスリットが文書シートを保存するためのポケットとなる；及び
ｆ）少なくとも２つのカード部分の外縁を一緒に接合して２つ折り薬剤治療ブリスターカードを形成するヒンジ手段；
を含み、有孔ストリップをブリスターカードから引裂いて安全ストリップのプルポイントを露出させ、そのプルポイントを引っ張って安全ストリップをポケットから引き出し、ブリスターキャビティのふた層を介してブリスター層を押してふた層を破り、外層の有孔部分を押しのけてカードから医薬組成物を取出する前記２つ折り薬剤治療ブリスターカード。
【請求項１３】
内層及び外層の外縁が均一の大きさを有する請求の範囲第１２項に記載の２つ折り薬剤治療ブリスターカード。
【請求項１４】
複数のブリスターキャビティがカード上に設けられている請求の範囲第１３項に記載の２つ折り薬剤治療ブリスターカード。
【請求項１５】
少なくとも２つのカード部分上の複数のブリスターキャビティが、カードを折り畳んだときにカード上のキャビティが交互に配置されるように整列されている請求の範囲第１４項に記載の２つ折り薬剤治療ブリスターカード。
【請求項１６】
カード部分がヒンジ手段により接合されている請求の範囲第１５項に記載の２つ折り薬剤治療ブリスターカード。
【請求項１７】
カードの内層及び外層上に文書が書かれている請求の範囲第１６項に記載の２つ折り薬剤治療ブリスターカード。
【請求項１８】
少なくとも１つのカード部分がその内層に医薬組成物に関する文書を保存するのに適したスリットを有する請求の範囲第１７項に記載の２つ折り薬剤治療ブリスターカード。
【請求項１９】
複数のブリスターキャビティが少なくとも１つのカード部分上に設けられている請求の範囲第１８項に記載の２つ折り薬剤治療ブリスターカード。
【請求項２０】
複数のブリスターが２つのカード部分上に設けられている請求の範囲第１９項に記載の２つ折り薬剤治療ブリスターカード。
【請求項２１】
カードの２つの部分上の複数のブリスターが互い違いに整列している請求の範囲第２０項に記載の２つ折り薬剤治療ブリスターカード。
【請求項２２】
ブリスターキャビティが医薬組成物を収容している請求の範囲第２１項に記載の２つ折り薬剤治療ブリスターカード。
【請求項２３】
医薬組成物がピル剤、カプセル剤、錠剤及びその組合せから選択される形態を有している請求の範囲第２２項に記載の２つ折り薬剤治療ブリスターカード。
【請求項２４】
内層、外層、安全ストリップ及び有孔ストリップが板紙、厚紙、ブリッスル・ボード、段ボール紙、ポリマー材料、金属及びその組合せから選択される材料から製造される請求の範囲第２３項に記載の２つ折り薬剤治療ブリスターカード。
【請求項２５】
ブリスター層及びふた層がポリマー材料、金属ホイル及びその組合せから選択される材料から製造される請求の範囲第２４項に記載の２つ折り薬剤治療ブリスターカード。
【請求項２６】
ポリマー材料が、低密度ポリエチレン、オレフィンコポリマー、ポリ塩化ビニル、ポリ塩化ビニリデン、ポリオレフィン、ポリプロピレン、ポリエステル、ポリアクチン酸、ポリアセタール、ポリスチレン及びその組合せから選択される請求の範囲第２４項に記載の２つ折り薬剤治療ブリスターカード。
【請求項２７】
ポリマー材料が、低密度ポリエチレン、オレフィンコポリマー、ポリ塩化ビニル、ポリ塩化ビニリデン、ポリオレフィン、ポリプロピレン、ポリエステル、ポリアクチン酸、ポリアセタール、ポリスチレン及びその組合せから選択される請求の範囲第２５項に記載の２つ折り薬剤治療ブリスターカード。
【請求項２８】
相互に折り畳むのに適した少なくとも３つのカード部分を含むことを特徴とする、医薬組成物を投薬するのに適した３つ折り薬剤治療ブリスターカードであって、１つ以上のカード部分が、
ａ）均一な外縁を有する内層及び外層：前記内層の表面に１つ以上の穴を含み、前記外層は、１つ以上の穴の形状を有する１つ以上の有孔部分を含み、前記内層は前記外層の上に重ね合わされており、前記内層の穴は、前記外層の有孔部分に対向し、前記内層及び外層の均一な外縁の第１部分は一緒に貼着して内部にポケットを有するブリスターカード部分を形成しており、前記カードの外縁の非貼着の第２部分は前記カードへのポケット入口を形成しており、カードのポケット入口の外縁の周りに切欠きが形成されている；
ｂ）少なくとも２つのカード部分上に存在する、外縁を有するブリスター層及び外縁を有するふた層からなる複数のブリスターキャビティ：前記ブリスター層及びふた層の外縁は一緒に貼着されており、両層の外縁の内側に医薬組成物を保存するのに適した隆起空隙区画が形成されており、前記ブリスターキャビティはブリスターカードのポケット中に位置づけられており、前記ブリスターキャビティの隆起空隙区画は内層の穴を介して突出しており、前記ふた層は外層の有孔部分と対向している；
ｃ）第１端部、第２端部及びプルポイントを有する着脱自在な安全ストリップ：前記プルポイントは、前記ストリップの第２端部に設けられており、前記ストリップの第１端部がポケット入口を介してブリスターキャビティのふた層とカードの外層の間のカードのポケットに挿入されており、前記安全ストリップはポケット入口の縁内にあり、前記プルポイントはポケット入口の外縁内に適合していてカードの切欠きをとおして目に見える；
ｄ）ブリスターカードのポケット入口をシールする有孔ストリップ：前記着脱自在な安全ストリップは、ポケットの内側に位置して薬剤治療ブリスターカードを形成しており、前記プルポイントは有孔ストリップにより被覆されている；
ｅ）任意に、外縁を有する内層及び外縁を有する外層を有するカード部分：前記両層の外縁は一緒に貼着されており、前記内層中のスリットは文書シートを保存するためのポケットとなる；及び
ｆ）少なくとも３つのカード部分の外縁を一緒に接合して３つ折り薬剤治療ブリスターカードを形成するヒンジ手段：前記ヒンジ手段は、カード部分を相互に折り畳むのに適している；
を含み、有孔ストリップをブリスターカードから引裂いて安全ストリップのプルポイントを露出させ、そのプルポイントを引っ張って安全ストリップをポケットから引き出し、ブリスターキャビティのふた層を介してブリスター層を押してふた層を破り、外層の有孔部分を押しのけてカードから医薬組成物を取出する前記３つ折り薬剤治療ブリスターカード。
【請求項２９】
内層及び外層の外縁が均一の大きさを有する請求の範囲第２８項に記載の３つ折り薬剤治療ブリスターカード。
【請求項３０】
複数のブリスターキャビティがカード上に設けられている請求の範囲第２９項に記載の３つ折り薬剤治療ブリスターカード。
【請求項３１】
カード部分がヒンジ手段により接合されている請求の範囲第３０項に記載の３つ折り薬剤治療ブリスターカード。
【請求項３２】
カードの内層及び外層に文書が書かれている請求の範囲第３１項に記載の３つ折り薬剤治療ブリスターカード。
【請求項３３】
少なくとも１つのカード部分がその内層に医薬組成物に関する文書を保存するのに適したスリットを有する請求の範囲第３２項に記載の３つ折り薬剤治療ブリスターカード。
【請求項３４】
複数のブリスターキャビティが少なくとも１つのカード部分上に設けられている請求の範囲第３３項に記載の３つ折り薬剤治療ブリスターカード。
【請求項３５】
複数のブリスターが２つのカード部分上に設けられている請求の範囲第３４項に記載の３つ折り薬剤治療ブリスターカード。
【請求項３６】
カードの少なくとも２つの部分上の複数のブリスターキャビティが、ブリスターキャビティを含む少なくともカード部分を相互に折り畳んだときに互い違いに整列している請求の範囲第３５項に記載の３つ折り薬剤治療ブリスターカード。
【請求項３７】
ブリスターキャビティが医薬組成物を収容している請求の範囲第３６項に記載の３つ折り薬剤治療ブリスターカード。
【請求項３８】
医薬組成物がピル剤、カプセル剤、錠剤及びその組合せから選択される形態を有している請求の範囲第３７項に記載の３つ折り薬剤治療ブリスターカード。
【請求項３９】
内層、外層、安全ストリップ及び有孔ストリップが板紙、厚紙、ブリッスル・ボード、段ボール紙、ポリマー材料及び金属から選択される材料から製造される請求の範囲第３８項に記載の３つ折り薬剤治療ブリスターカード。
【請求項４０】
ブリスター層及びふた層がポリマー材料、金属ホイル及びその組合せから製造される請求の範囲第３９項に記載の３つ折り薬剤治療ブリスターカード。
【請求項４１】
ポリマー材料が、低密度ポリエチレン、オレフィンコポリマー、ポリ塩化ビニル、ポリ塩化ビニリデン、ポリオレフィン、ポリプロピレン、ポリエステル、ポリアクチン酸、ポリアセタール、ポリスチレン及びその組合せから選択される請求の範囲第３９項に記載の３つ折り薬剤治療ブリスターカード。
【請求項４２】
ポリマー材料が、低密度ポリエチレン、オレフィンコポリマー、ポリ塩化ビニル、ポリ塩化ビニリデン、ポリオレフィン、ポリプロピレン、ポリエステル、ポリアクチン酸、ポリアセタール、ポリスチレン及びその組合せから選択される請求の範囲第４０項に記載の３つ折り薬剤治療ブリスターカード。
【請求項４３】
相互に折り畳むのに適した３カード部分を含むことを特徴とする医薬組成物を投薬するのに適した３つ折り薬剤治療ブリスターカードであって、
ｉ）
ａ）比例した大きさの縁及び均一な外縁を有する内層及び外層：前記内層の表面に複数の穴を含み、前記外層は、複数の穴の形状を有する複数の有孔部分を含み、前記内層は前記外層の上に重ね合わされており、前記内層の複数の穴は、前記外層の複数の有孔部分に対向し、前記内層及び外層の均一な外縁の第１部分は一緒に貼着して内部にポケットを有するブリスターカード部分を形成しており、前記カードの外縁の非貼着の第２部分は前記カードへのポケット入口を形成しており、カードのポケット入口の縁の周りに切欠きが形成されている；
ｂ）少なくとも２つのカード部分上に存在する、外縁を有するブリスター層及び外縁を有するふた層からなる複数のブリスターキャビティ：前記ブリスター層及びふた層の外縁は一緒に貼着されており、両層の外縁の内側に医薬組成物を保存するのに適した隆起空隙区画が形成されており、前記ブリスターキャビティはブリスターカードのポケット中に位置づけられており、前記ブリスターキャビティの隆起空隙区画は内層の穴を介して突出しており、前記ふた層は外層の有孔部分と対向しており、カードの２つの部分上の複数のブリスターキャビティは、ブリスターキャビティを含む２つのカード部分が相互に折り畳まれるときに互い違いに整列している；
ｃ）第１端部、第２端部及びプルポイントを有する、比例した大きさの着脱自在な安全ストリップ：前記ストリップの第２端部にプルポイントが配置されており、前記ストリップの第１端部がポケット入口を介してブリスターキャビティのふた層とカードの外層の間のカードのポケット中に挿入されており、前記安全ストリップはポケット入口の縁内にあり、前記プルポイントはポケット入口の外縁内に適合していてカードの切欠きをとおして目に見える；及び
ｄ）ブリスターカードのポケット入口をシールする有孔ストリップ：前記着脱自在な安全ストリップは、ポケットの内側に位置して薬剤治療ブリスターカードを形成しており、前記プルポイントは有孔ストリップにより被覆されている；
を含む２つのカード部分、
ｉｉ）外縁を有する内層及び外縁を有する外層を含む１つのカード部分：両層の外縁は一緒に貼着されており、前記内層中のスリットは文書シートを保存するためのポケットとなる、及び
ｉｉｉ）３つのカード部分の外縁を一緒に接合して３つ折り薬剤治療ブリスターカードを形成するヒンジ手段：前記ヒンジ手段は、カード部分を相互に折り畳むのに適している、
を含み、有孔ストリップをブリスターカードから引裂いて安全ストリップのプルポイントを露出させ、そのプルポイントを引っ張って安全ストリップをポケットから引き出し、ブリスターキャビティのふた層を介してブリスター層を押してふた層を破り、外層の有孔部分を押しのけてカードから医薬組成物を取出する前記３つ折り薬剤治療ブリスターカード。
【発明の詳細な説明】
【技術分野】
【０００１】
本発明は、患者に投薬するためにカード内に保存した医薬組成物に関する投与スケジュール、安全性情報等の形の文書を添付するのに適した子供にとって安全な（ｃｈｉｌｄ  ｒｅｓｉｓｔａｎｔ）薬剤治療ブリスターカードに関する。より具体的には、本発明は、医薬組成物を取出する前に除かなければならない安全ストリップがカードに挿入されていることを特徴とする子供にとって安全なブリスターカード部分に関する。２つ折り及び３つ折りカードを含めた特に好ましい実施態様を本明細書中に詳記する。
【背景技術】
【０００２】
最近、多くの形態の医薬組成物用投薬容器及び保存容器が市場に参入している。医薬組成物、特に所定量の錠剤、ピル剤、粉剤及びカプセル剤の形態の医薬組成物がバイアル、ボトルまたはブリスター包装から投薬されている。
【０００３】
より最近では、ブリスター包装は子供にとって安全であるように設計されている。すなわち、包装は、特に、まだ大人が管理しなければならない幼児が開けないように設計されている。多くの場合、子供にとって安全なブリスター包装を開くためには複数のステップを順次実施しなければならない。子供にとって安全なブリスター包装の別の利点は、異なる用量の組成物が子供にとって安全な各ブリスターキャビティ中に別々にシールされ得ることである。ある用量の組成物を投与後、空のブリスターキャビティ部分を残りのキャビティから除き、廃棄し得る。
【０００４】
薬剤治療カード中に含まれ得る説明書及びスケジュール情報と共に、ブリスター包装は組成物を処方したとおり自己投与するための補助手段として機能し得る。米国特許第３，９１２，０８２号明細書、同第４，０１１，９４９号明細書、同第４，１２５，１９０号明細書、同第５，０８８，６０３号明細書、同第５，１７２，８１２号明細書、同第５，７５８，７７４号明細書、同第６，１５５，４１４号明細書、同第４，７５２，００３号明細書、同第６，１５５，４２３号明細書及び同第５，９１５，５５９号明細書を参照されたい。
【０００５】
現在、薬剤治療カードに挿入されるであろう子供にとって安全なブリスター包装が要望されている。通常、子供にとって安全なブリスター包装は、例えば約２７〜約６０ヶ月の幼児には開きにくくなければならない。同時に、薬剤治療ブリスターカードは、大人には開きやすくなければならない。ブリスター包装を含む薬剤治療カードは、ここに含まれる医薬組成物の製造業者に対して有用な指示、情報及び宣伝スペースを与え得る。
【０００６】
１９９９年７月２７日に付与されたＧｏｄｆｒｅｙらの米国特許第５，９２７，５００号明細書は、強化繊維支持体からなるカバー層及び裏層の間にブリスターカードを配置したことを特徴とする薬剤収容包装を示唆している。しかしながら、Ｇｏｄｆｒｅｙらは、包装内に子供にとって安全なブリスターを含めることを示唆していない。通常、それぞれの用量の医薬組成物は、一般的な投薬形状に合致する有孔支持材を介して圧出され得る。
【０００７】
１９９８年８月２６日に付与されたＨｏｆｍａｎｎらの米国特許第５，７７５，５０５号明細書は、シールしたブリスターキャビティの２×３アレーを有し、各ブリスターパックを分けるために垂直及び水平ミシン線を設けた多層アセンブリを特徴とする子供にとって安全なブリスター包装を教示している。水平及び垂直ミシン線の交点に、その下の層はシールされていないキャビティが存在する。包装の部分を分離すると、非シール域からプルタブが現れ、このタブを引くとブリスターキャビティから層が分離してピルが出てくる。
【０００８】
１９９９年３月１６日に公開された国際特許出願公開第９７／０２１９２号パンフレットは、各ブリスターキャビティの２×８アレーを有する多層ブリスターパックを示唆している。このパックは各ブリスターの２つの平行なオフセット列を有するベースホイル層に連結したふたホイル層を有しており、ふたホイルの片側上のミシン線によりブリスター列が分離され、ふたホイル層に対して垂直なミシン線により各オフセット列が分離される。垂直及び水平のミシン線の各交点にノッチキャビティが存在する。ピルをブリスターキャビティから除くと、各ブリスターをミシン線に沿ってパックから分離し、ノッチキャビティの下の層が露出する。これらの層をブリスターキャビティから剥がすと、ピルが取出される。
【０００９】
より改良されたブリスター包装が要望されている。十分なシール特性を有し、子供にとって安全な包装は、大人には簡単に開くことができ、その一方で、投薬の指示、安全注意等を与える治療カードの機能をも有する。例えば、薬剤治療ブリスターカードは包装そのものに指示情報を印刷してもよく、または消費者が参考とするブリスターカード内にすべての関連情報を含ませてもよい。薬剤治療ブリスターカードは、そこに収容した製品の使用に関する書き込みを使用者が維持することができる区画をも、できる限り便利に含み得る。
【発明の開示】
【００１０】
本発明は、医薬組成物を投薬するのに適した薬剤治療ブリスターカードに関する。前記カードは、
ａ）外縁を有する内層及び外層：前記内層の表面に穴を含み、前記外層は、穴の形状を有する有孔部分を含み、前記内層は前記外層の上に重ね合わされており、前記内層の穴は、前記外層の有孔部分に対向し、前記内層の外縁及び外層の外縁の第１部分は一緒に貼着して内部にポケットを有するブリスターカードを形成しており、前記内層の外縁及び外層の外縁の非貼着の第２部分は前記カードへのポケット入口を形成している；
ｂ）１つ以上の、外縁を有するブリスター層及び外縁を有するふた層からなるブリスターキャビティー：前記ブリスター層及びふた層の外縁は一緒に貼着されており、両層の外縁の内側に医薬組成物を保存するのに適した隆起空隙区画が形成されており、前記ブリスタキャビティはブリスターカードのポケット中に位置づけられており、前記ブリスターキャビティの隆起空隙区画は内層の穴を介して突出しており、前記ふた層は外層の有孔部分と対向している；
ｃ）着脱自在な安全ストリップ：前記ストリップは、ポケット入口を介してブリスターキャビティのふた層とカードの外層の間のカードポケットに挿入され、前記安全ストリップはポケット入口の縁内にある；及び
ｄ）ブリスターカードの内縁、外縁及びポケット入口をシールする有孔ストリップ：前記着脱自在な安全ストリップはブリスターカードの内側にシールされて薬剤治療ブリスターカードを形成する；
を含み、有孔ストリップをブリスターカードから引裂き、安全ストリップを除き、内層側のブリスター層を押してふた層を破り、外層の有孔部分をカードから押しのけるとブリスターキャビティから医薬組成物が取出される。
【発明を実施するための最良の形態】
【００１１】
本明細書中、用語「均一な縁」は、単一構造物を形成するように相互に接合される各層の縁として定義され、多層アセンブリの内層及び外層の縁は、１つの単位アセンブリを形成するように一緒に貼着され得る。
【００１２】
用語「多層アセンブリ」は、単層ユニットを形成するように一緒に作動する、貼着または非貼着の複数の層を有する構造物として定義される。
【００１３】
本明細書中、用語「比例した大きさのサイド」は、多層アセンブリの外層及び内層が形状（例えば、長方形、三角形、卵形及び楕円形等）及び寸法の点で同一であっても、通常類似の形状に合致するが、全ての層が同一の一般的形状を規定するように異なる寸法を有してもよいことを意味する。
【００１４】
用語「内層」は、ブリスターキャビティ空隙区画及び文書シートを保存するためのスリットを含むカード部分の内側表面として定義される。内層は、文書や指示書及び使用者が投薬間隔を計画するのを助ける方法の形の表示を含み得る。
【００１５】
用語「外層」は、ブリスターキャビティのふた層の反対に対向し且つ隣接する穴の形状の有孔部分を含むカード部分の外側表面として定義される。外層は、文書や指示書及び使用者に投薬間隔を計画するのを助ける方法を含み得る。
【００１６】
本明細書中、用語「シールした」及び「貼着した」は、カード部分の内層及び外層の接合、ブリスターキャビティのブリスター層及びふた層の接合を意味する。ブリスターキャビティー区画は、一旦ふた層及びブリスター層を接合したら、通常２〜３年の貯蔵寿命を有する気密性で且つ防湿性の区画として定義される。
【００１７】
本明細書中、用語「ヒンジ手段」または「ピボット手段」は、薬剤カードに導入される折り目、線または他の折り畳み手段を意味し、カード部分は、二分外側カード部分縁に沿って相互に折り畳まれるかまたは旋回され得る。
【００１８】
本明細書中、「着脱自在な安全ストリップ」は、内側のカード及び外側のカードの外縁の一部を貼着することにより形成したポケットに着脱自在に挿入され得る平らなストリップを指す。安全ストリップにより、圧力または力を加えたときにブリスターキャビティから組成物が取出されるのを阻止することにより、子供のいたずら（例えば、つついたり、噛んだり等）に対して安全であり、そのいたずらから保護される。
【００１９】
本明細書中、用語「近位」及び「隣接」は、多層アセンブリの層が該アセンブリ内に相互に十分に近いまたは隣接していることを指す。
【００２０】
本明細書中、用語「切欠き」は、ヒトの親指の大きさ及び形に近似している半円または正方形の形の内層及び外層の上縁、下縁または側縁の除去された部分を指す。切欠き部分により、着脱自在な安全ストリップの着脱を助けるための安全ストリップの部分、すなわちプルポイントが露出する。
【００２１】
用語「プルポイント」は、内層及び外層の切欠きに対向する安全ストリップの縁部を指し、安全ストリップはカード部分のポケットから取外され得る。
【００２２】
本発明は、所定用量の医薬組成物を投薬するのに適した薬剤治療ブリスターカードに関する。前記ブリスターカードは少なくとも１回服用量の薬剤または医薬組成物を保存するために少なくとも１つの全薬剤区画、すなわちブリスターキャビティを含むことを特徴とし得る。本発明の別の特徴は、比例した大きさを有し、カードに導入される１個以上のブリスターキャビティにより特徴づけられる均一な縁部を有する多層ラミネートアセンブリにあり得る。多層アセンブリの特徴は、相互に近接している内層、ブリスター層、ふた層、安全カード層及び外層を含むことであり得る。
【００２３】
図１及び図２には、薬剤治療ブリスターカード１０及び安全ストリップ３２の正面図を示す。前記カードの特徴は、周辺境界に沿って外縁１４を有する均一の大きさの内層１２であり得る。内層１４の表面内に穴２０，２２及び切欠き部３０がある。図２には、周辺境界に沿って外縁１８を有する均一の大きさの外層１６を特徴とし得る薬剤治療ブリスターカード１０の背面図を示す。外層１６の表面内にミシン目２８により特徴づけられる有孔部分２４，２６及び切欠き３０がある。典型的には、内層１２及び外層１６はこれらの層が相互に鏡像であり、外縁１４，１８は重ね合わされたとき相互に対向するように同じ大きさを有している。内層及び外層を重ね合わせ、その縁を貼着すると、２層間に形成されたポケット１９を有するカード部分が形成される（ポケット１９は図１に隠れ線２９で示す）。図１に示すプルポイント３４を含む安全ストリップ３２は（内層１２と外層１６の間の）ポケット１９に挿入され得る。
【００２４】
本発明の１つの好ましい実施態様では、１個以上のブリスターキャビティを有する各カード部分は、多重折りカード（例えば、２つ折り及び３つ折りカード）を形成するようにピボットまたはヒンジ手段により一緒に連結され得る。カード部分の外層及び内層の更なる特徴は、上縁、下縁及び側縁を含むことであり得る。カードの内層及び外層は、２層アセンブリ内に内部ポケットが形成されるように１側面を開いたままにしてその上縁、下縁または側縁で相互に接合され得、キャビティの既にシールされている内部に医薬組成物を収容したブリスターキャビティが挿入され得る。通常、幾つかのブリスターキャビティ区画が１つのブリスター層及びふた層から当該技術分野で公知の方法により製造され得る。医薬組成物を収容したブリスターキャビティ空隙は内部カード層の穴を介して目に見え、キャビティ中の空隙は内層表面を越えて隆起している。ブリスターキャビティに直接対向する外層は、キャビティから組成物を簡単に取り出すために楕円形、卵形、円形、正方形等の一般的な形で有孔部分を含み得る。カードの内層及び外層により形成された内ポケットの内部に医薬組成物を収容したブリスターキャビティが１個以上配置され得る。キャビティのふた層と多層構造物のカード外層の間に、カードの外縁部分をシールすることにより形成されたポケット中に着脱自在な安全カードが挿入され得る。この安全カードは形成されたポケット内に適合されている。通常、着脱自在な安全カードは、ブリスターキャビティ内の医薬組成物が安全ストリップを除きふた層を破らない限り、ふた層を介してキャビティから容易に取出され得ないように、ブリスターキャビティのふた層とカード部分の外層の間に設けられている。このストリップは、通常ブリスター包装のふた層とカードの外層の間に設けられている。安全ストリップの幅、長さ及び形は通常ブリスターキャビティの幅よりも大きいが、ポケット及びその開口部の幅と同じである。安全カードをポケットに挿入したら、内層及び外層のポケットを形成する外縁の非シール部分は、好ましくは、有孔ストリップによりシールされ得る。
【００２５】
図３には、ブリスター層４２とふた層４４により特徴づけられるブリスターキャビティ４０の側面図を示す。キャビティ空隙は、その間に医薬組成物８０を収容している２層の外縁を一緒にシールすることにより形成される。ブリスターキャビティは、多層アセンブリにより形成されるポケット内部に内層と外層の間で貼着され得る。ブリスターキャビティは、正面サイド、背面サイド、シールした外縁、及びカードの内層の表面の１つ以上の穴を介して延びる１つ以上の隆起ブリスターキャビティ区画を含む２ピース構造物として特徴づけられ得る。ブリスターカードのブリスター層は、形成されたブリスターキヤビティ区画を複数有する透明な可撓性ポリマー材料であり得る。典型的には、ブリスターキャビティ区画は、所定の１回服用量の医薬組成物を収容するのに十分な容量または大きさを有し、前記医薬組成物は通常ピル剤、錠剤、カプセル剤、粉剤等である。ブリスターキャビティによりブリスター層とふた層の間に空隙空間が生ずる。ブリスター層とふた層は、ポリ塩化ビニル（ＰＶＣ）、ポリ塩化ビニリデン（ＰＶＤＣ）、ポリオレフィン、ポリプロピレン、アルミニウムホイルラミネート、ポリアセタール、ポリオレフィン、ポリスチレン及びそのブレンドのようなポリマー材料から構成され得る。或いは、ブリスター層とふた層は、１５〜約３０ミクロンのホイル厚さを有する金属ホイルラミネート（例えば、ＰＶＣ／アルミニウム／ナイロン）のような不透明で容易に破けない可撓性材料で製造してもよい。ブリスター層及びふた層は容易に破れないように適当な厚さを有する。ブリスターキャビティは、有孔ストリップを引裂き、カード部分から安全ストリップを除き、内層側からブリスターキャビティを外層の有孔部分を介して押す方法に従って開かれ得る。
【００２６】
図４には、断面Ａ−Ａに沿った図１の側面図を示す。本発明の薬剤治療ブリスターカードは、内層１２、外層１６及びその層の間に挿入された着脱自在な安全ストリップ３２を含む多層構造物として特徴づけられ得る。内層１２の穴２０を介して、医薬組成物８０を収容したブリスターキャビティ４０が配置され得る。多層構造物中のブリスターキャビティ４０の反対側に外側１６の有孔部分２４があり、この有孔部分２４は内層１２の穴２０に対向している。
【００２７】
薬剤治療ブリスターカードのポケット入口の幅に広がる有孔ストリップ５０は、カード部分内に着脱自在な安全ストリップをシールしてブリスターキャビティの開放を防ぐように、カード部分のポケット入口を形成する外層及び内層の非貼着部分に接合され得る。内層及び外層の切欠き部（プルポイントと称する）により露出した上部域に１本以上の指を置き、ポケットから引っ張るかまたは持ち上げることにより安全ストリップを除く。プルポイントは、薬剤治療ブリスターカードの外縁上の他の区域に対してその位置を示すようにマークされていてもよい。その後、カード部分の内層側のブリスターキャビティに力を加え、ふた層に対して医薬組成物を押しやって外層の有孔部分を分離し、組成物をブリスターキャビティから開放させ得る。安全ストリップは、通常印刷媒体の形態で表示を加えるのに適した紙またはポリマー材料から構成され得る。通常、安全ストリップは板紙またはポリマーストック（ｐｏｌｙｍｅｒｉｃ  ｓｔｏｃｋ）材料から構成され得る。板紙材料は厚紙、ブリッスル・ボード及び段ボール紙からなる群から選択され得る。ポリマーストック材料は適当にはポリアセタール、ポリオレフィン、ポリスチレン、ポリ塩化ビニル及びそのブレンドから選択され得る。特に好ましい材料は板紙である。
【００２８】
図５には、断面Ａ−Ａに沿った図１の側面図を示す。安全ストリップ３２を多層アセンブリから除き、ブリスター層４２を医薬組成物８０に押し込み、力を加えてブリスターキャビティ４０のふた層４４を破り、医薬組成物を治療カードから取出し、有孔部分２４を外層１６から取出する。治療カードから医薬組成物を取出する前に、安全ストリップを内層と外層により形成されたカード部分のポケット１９から取り外さなければならない。
【００２９】
図６には、本発明の典型的な具体例を示す。２つ折りカード８５の内側にカード部分８６，８７がヒンジ手段８８により接合されていることを特徴とし得る。カード部分８７の内層上にスリット５２が設けられ、このスリットによりカード部分の内層と外層の間にポケットが形成されている。カード部分のポケットは、医薬組成物の投与スケジュールまたは安全性に関する文書シートを配置するのに適している。カード部分８６の内側にはブリスターキャビティ２０，２２が設けられている。有孔ストリップ５０で被覆されているカード部分８５の上縁は安全ストリップである。カード部分から医薬組成物を取り出すためには、安全ストリップを露出させるために有孔ストリップ５０をカード部分の上部から引裂かなければならない。その後、切欠き３０を掴むことにより、安全ストリップをポケットから引き抜き得、カード部分の内層側のブリスターキャビティに圧力を加えることにより医薬組成物をキャビティのふた層に押しつけ、外層の有孔部分を押すことにより治療カードから組成物が取出される。カード部分から有孔ストリップを除いた後安全ストリップを除き、カード部分の内層側のブリスターキャビティに力を加えなければ、組成物は薬剤治療ブリスターカードから取出し得ない。
【００３０】
本発明の２つ折りカードは少なくとも２つのカード部分を含むことを特徴とし得、１つ以上のカード部分は、
ａ）均一な外縁を有する内層及び外層：前記内層の表面に穴を含み、前記外層は、穴の形状を有する有孔部分を含み、前記内層は前記外層の上に重ね合わされており、前記内層の穴は、前記外層の有孔部分に対向し、前記内層及び外層の均一な外縁の第１部分が一緒に貼着して内部にポケットを有するブリスターカード部分を形成し、前記カードの外縁の非貼着の第２部分は前記カードへのポケット入口を形成しており、カードのポケット入口の外縁の周りに切欠きが形成されている；
ｂ）１つ以上の、外縁を有するブリスター層及び外縁を有するふた層からなるブリスターキャビティ：前記ブリスター層及びふた層の外縁は一緒に貼着されており、両層の外縁の内部に医薬組成物を保存するのに適した隆起空隙区画が形成されており、前記ブリスタキャビティはブリスターカードのポケット中に位置づけられており、前記ブリスターキャビティの隆起空隙区画は内層の穴を介して突出しており、前記ふた層は外層の有孔部分と対向している；
ｃ）第１端部及び第２端部を有する着脱自在な安全ストリップ：前記ストリップの第２端部にプルポイントが設けられており、前記ストリップの第１端部がポケット入口を介してブリスターキャビティのふた層とカードの外層の間でカードに挿入されており、前記安全ストリップはポケット入口の縁内にあり、前記プルポイントはポケット入口の外縁内に適合していてカードの切欠きをとおして目に見える；
ｄ）ポケット入口のカードの外縁をシールするのに適した有孔ストリップ：前記着脱自在な安全ストリップは、ブリスターカードの外縁の内側にシールされてカード部分を形成しており、前記プルポイントは有孔ストリップにより被覆されている；
ｅ）任意に、その間にポケットを形成するように貼着された外縁を有する内層及び外層を有するカード部分：前記内層中のスリットが文書シートを保存するためのポケットとなる；及び
ｆ）少なくとも２つのカード部分の外縁を一緒に貼着して２つ折り薬剤治療ブリスターカードを形成するヒンジ手段；
を含み、有孔ストリップをブリスターカードから引裂いて安全ストリップのプルポイントを露出させ、そのプルポイントを引っ張って安全ストリップをポケットから引き出し、ブリスターキャビティのふた層を介してブリスター層を押してふた層を破壊し、外層の有孔部分を押しのけるとカードから医薬組成物が取出される。
【００３１】
図７Ａには、本発明の別の実施態様のカード部分９２，９４及び９６により特徴づけられる３つ折りカード９０の斜視図を示す。カード部分９２，９４はブリスターキャビティ１００，１０１，１０２を含み、これらのカード部分の上縁は、上記したカード部分８６に類似の有孔ストリップ５０によりシールされている。カード部分はヒンジ手段９８により相互に接合されており、カード部分９６は文書を保存するのに適したスリット９７を含む。図７Ｂには、折り畳まれた位置でカード部分９２，９４，９６が相互に重ね合わされている３つ折りカード９０の上面図を示す。折り畳まれた位置では、カードのブリスターキャビティは垂直方向に整列されており、キャビティ１０２はキャビティ１００と１０１の間に位置している。
【００３２】
本発明の別の実施態様では、相互に折り畳むのに適した少なくとも３つのカード部分を含むことを特徴とする３つ折り薬剤治療ブリスターカードを記載し、１つ以上のカード部分は、
ａ）均一な外縁を有する内層及び外層：前記内層の表面に１つ以上の穴を含み、前記外層は、１つ以上の穴の形状を有する１つ以上の有孔部分を含み、前記内層は前記外層の上に重ね合わされており、前記内層の穴は、前記外層の有孔部分に対向し、前記内層及び外層の均一な外縁の第１部分は一緒に貼着して内部にポケットを有するブリスターカード部分を形成しており、前記カードの外縁の非貼着の第２部分は前記カードへのポケット入口を形成しており、カードのポケット入口の外縁の周りに切欠きが形成されている；
ｂ）少なくとも２つのカード部分上に存在する、外縁を有するブリスター層及び外縁を有するふた層からなる複数のブリスターキャビティ：前記ブリスター層及びふた層の外縁は一緒に貼着されており、両層の外縁の内側に医薬組成物を保存するのに適した隆起空隙区画が形成されており、前記ブリスターキャビティはブリスターカードのポケット中に位置づけられており、前記ブリスターキャビティの隆起空隙区画は内層の穴を介して突出しており、前記ふた層は外層の有孔部分と対向している；
ｃ）第１端部、第２端部及びプルポイントを有する着脱自在な安全ストリップ：前記プルポイントは、前記ストリップの第２端部に配置されており、前記ストリップの第１端部がポケット入口を介してブリスターキャビティのふた層とカードの外層の間のカードのポケットに挿入されており、前記安全ストリップはポケット入口の縁内にあり、前記プルポイントはポケット入口の外縁内に適合していてカードの切欠きをとおして目に見える；
ｄ）ブリスターカードのポケット入口をシールする有孔ストリップ：前記着脱自在な安全ストリップは、ポケットの内側に位置して薬剤治療ブリスターカードを形成しており、前記プルポイントは有孔ストリップにより被覆されている；
ｅ）任意に、外縁を有する内層及び外縁を有する外層を有するカード部分：前記両層の外縁は一緒に貼着されており、前記内層中のスリットは文書シートを保存するためのポケットとなる；及び
ｆ）少なくとも３つのカード部分の外縁を一緒に接合して３つ折り薬剤治療ブリスターカードを形成するヒンジ手段：カード部分を相互に折り畳むのに適している；
を含み、有孔ストリップをブリスターカードから引裂いて安全ストリップのプルポイントを露出させ、そのプルポイントを引っ張って安全ストリップをポケットから引き出し、ブリスターキャビティのふた層を介してブリスター層を押してふた層を破り、外層の有孔部分を押しのけるとカードから医薬組成物が取出される。
【００３３】
この実施態様及び上記した実施態様において、カードの内層及び外層の縁が均一の大きさを有していることが好ましく、複数のブリスターがカード部分上に設けられ得る。また、カード部分はヒンジ手段により接合され得、カードの内層及び外層に文書を書いてもよい。３つ折り薬剤治療ブリスターカードのカード部分は、医薬組成物に関する文書を保存するのに適したスリットを内層に有するカード部分を少なくとも１つ含み得る。前記カードでは複数のブリスターキャビティを少なくとも１つのカード部分の内層に設け得、２つ折りまたは３つ折りカードの２つのカード部分に複数のブリスターを設ける。そして、本発明のより好ましい実施態様では、複数のブリスターキャビティを含む２つのカード部分がヒンジ手段によりその外縁で接合されており、図７Ｂに示すようにカード部分を相互に折り畳んだときに少なくとも２つのカード部分上のブリスターキャビティが互い違いに整列していることを特徴とする。勿論、ブリスターキャビティは、カプセル剤、錠剤、散剤、顆粒剤等の形態、またはその組合せ、例えば通常固体形態の医薬組成物を所定用量収容している。ブリスターキャビティは整列して折り畳んだ状態で配列されてなる複数のシールされた子供にとって安全なブリスターキャビテイ区画を含み得、１つのカード部分は相互に折り畳んだときにキャビティはカード毎に整列され、変更される。
【００３４】
通常、治療カードのカード部分、すなわち内層、外層、安全ストリップ及び有孔ストリップは板紙、厚紙、ブリッスル・ボード、段ボール紙、ポリマー材料、金属及びその組合せから選択される材料から製造され得る。これらの材料及び他の構成材料は当業者に自明である。ブリスターキャビティのブリスター層及びふた層はポリマー材料、金属ホイル及びその組合せから製造され得る。前記ポリマー材料には、低密度ポリエタレン、オレフィンコポリマー、ポリ塩化ビニル、ポリ塩化ビニリデン、ポリオレフィン、ポリプロピレン、ポリエステル、ポリアクチン酸、ポリアセタール、ポリスチレン及びその組合せが含まれるが、これらに限定されない。特に好ましい材料は板紙である。
【００３５】
１実施態様では、カードの内層及び外層の上縁、下縁及び側縁部分、並びにブリスター包装のブリスター層及びふた層の背面は一体ラミネートに形成される。適当ならば、内層、外層及びブリスター層の縁を結合するためにヒートシールコーティングが使用される。ブリスター層及びふた層は通常、これらの層を相互に永久的に接合させるべくヒートシールされ得る熱可塑性結合材料からなる接着剤により結合させ得る。本発明において適当であり得る当業界で公知の他の接着剤は当業者に自明であろう。
【００３６】
相互に折り畳むのに適した少なくとも３つのカード部分を含むことを特徴とする、医薬組成物を投薬するのに適した３つ折り薬剤治療ブリスターカードの別の好ましい実施態様では、
ｉ）
ａ）均一な外縁を有する内層及び外層：前記内層の表面に１つ以上の穴を含み、前記外層は、１つ以上の穴の形状を有する１つ以上の有孔部分を含み、前記内層は前記外層の上に重ね合わされており、前記内層の複数の穴は、前記外層の複数の有孔部分に対向し、前記内層及び外層の均一な外縁の第１部分は一緒に貼着して内部にポケットを有するブリスターカード部分を形成しており、前記カードの外縁の非貼着の第２部分は前記カードへのポケット入口を形成しており、カードのポケット入口の外縁の周りに切欠きが形成されている；
ｂ）少なくとも２つのカード部分上に存在する、外縁を有するブリスター層及び外縁を有するふた層からなる複数のキャビティ：前記ブリスター層及びふた層の外縁は一緒に貼着され、両層の外縁の内側に医薬組成物を保存するのに適した隆起空隙区画が形成されており、前記ブリスターキャビティはブリスターカードのポケット中に位置づけられており、前記ブリスターキャビティの隆起空隙区画は内層の穴を介して突出しており、前記ふた層は外層の有孔部分と対向しており、カードの２つの部分上に複数のブリスターキャビティは、ブリスターキャビティを含む２つのカード部分が相互に折り畳まれるときに互い違いに整列している；
ｃ）第１端部、第２端部及びプルポイントを有する着脱自在な安全ストリップ：前記ストリップの第２端部にプルポイントが配置されており、前記ストリップの第１端部がポケット入口を介してブリスターキャビティのふた層とカードの外層の間のカードのポケット中に挿入されており、前記安全ストリップはポケット入口の縁内にあり、前記プルポイントはポケット入口の外縁内に適合していてカードの切欠きをとおして目に見える；
ｄ）ブリスターカードのポケット入口をシールする有孔ストリップ：前記着脱自在な安全ストリップは、ポケットの内側に位置して薬剤治療ブリスターカードを形成しており、前記プルポイントは有孔ストリップにより被覆されている；
を含む２つのカード部分、
ｉｉ）外縁を有する内層及び外縁を有する外層を含む１つのカード部分：両層の外縁は一緒に貼着されており、前記内層中のスリットは文書シートを保存するためのポケットとなる、及び
ｉｉｉ）３つのカード部分の外縁を一緒に接合して３つ折り薬剤治療ブリスターカードを形成するヒンジ手段：前記ヒンジ手段は、カード部分を相互に折り畳むのに適している、
を含み、有孔ストリップをブリスターカードから引裂いて安全ストリップのプルポイントを露出させ、そのプルポイントを引っ張って安全ストリップをポケットから引き出し、ブリスターキャビティのふた層を介してブリスター層を押してふた層を破り、外層の有孔部分を押のけるとカードから医薬組成物が取出される。
【００３７】
或いは、ブリスター包装は、１つのカード部分あたり数個のストリップ対安全ストリップ上に１グループとしてシールされた複数の子供にとって安全なブリスターキャビティ区画を含むことを特徴とし得る。図８は本発明の別の実施態様を概略的に示す正面図である。この場合、カード部分１００は２つの別々のブリスターキャビティ１２０，１２１、２つの別々の切欠き１３０，１３１、及び２つの別々の安全ストリップ（図示せず）を収容するための２つの別々のポケット１４０，１４１（破線で概略する）を有することを特徴とし得る。この構成を用いることにより、異なる用量の医薬組成物をカード部分に対する残りの組成物の安全性を低下させることなくカードから取出し得る。各安全ストリップを封入するのに適した上記した有孔ストリップも考えられる。薬剤治療ブリスターカードは、通常患者がそれぞれの用量の医薬組成物を適切な時に服用するのを助ける指示書及び補助手段を含む。これらの指示書及び補助手段はカードそれ自体に印刷されていてよい。或いは、ブリスターカードは、広告、指示書、カレンダー、補助手段等の形態の別の文書を保存するためのポケットを作成するためにスリットを含む別のカード部分を含み得る。この追加のチャンバは１つ以上のブリスターキャビティ及びスリットを含み得る。
【００３８】
薬剤治療カードは、それぞれの所定用量の医薬組成物に加えて、前記組成物をスケジュール通りに適切に患者が服用するのを助けるための表示を含むという利点を有し得る。通常、前記カードは１サイクルまたは毎週処方（１日あたり１回服用）、毎月処方（１週あたり１回または複数回服用）を含む。好ましくは、１カード部分あたり１または２回服用量を含む。
【図面の簡単な説明】
【００３９】
【図１】ブリスターキャビティ２０，２２を有する薬剤治療ブリスターカード部分１０の立面正面図である。安全ストリッブ３２を上部に示す。
【図２】有孔支持体１８を有する薬剤治療ブリスターカード部分１０の立面背面図である。
【図３】ブリスターキャビティ８０の立面側面図である。
【図４】図１の薬剤治療ブリスターカード１０の断面Ａ−Ａに沿った立面側面図である。
【図５】薬剤治療ブリスターカード１０の断面Ａ−Ａに沿った立面側面図である。ブリスターキャビティ４０を破り、そこから医薬組成物８０を取出す。
【図６】本発明の２つ折りカード８０の立面斜視図である。
【図７Ａ】本発明の３つ折りカード９０の立面斜視図である。
【図７Ｂ】本発明の３つ折りカード９０の立面上面図である。カードを折り畳んだときに２カード部分のブリスターキャビティは垂直に整列しており、互い違いとなっている。
【図８】薬剤治療ブリスターカード部分１００の立面正面図である。各ブリスターキャビティ１２０，１２１を示す。
【図１】
2005518909.tif 000003
【図２】
2005518909.tif 000004
【図３】
2005518909.tif 000005
【図４】
2005518909.tif 000006
【図５】
2005518909.tif 000007
【図６】
2005518909.tif 000008
【図７Ａ】
2005518909.tif 000009
【図７Ｂ】
2005518909.tif 000010
【図８】
2005518909.tif 000011
【国際調査報告】
2005518909.tif 000012